(57)【要約】  本発明は、クラッチ機構と、モータ駆動部に接続する為の結合装置とを有するロック装置、特に、自動車用ロック装置に関する。結合装置は、結合レバーを備え、結合レバーは、複数の係合ラグのため、結合レバーを旋回させることができる。係合ラグは、結合レバーによって連続して検出可能であり、この点で、一方が他方の後にアレンジされる。本発明は、さらに、ロック装置の為にプラスチック構成要素に関する。係合ラグ（１４，１５）は、生産を簡単化し、材料コストおよび設置空間を最小にするため、結合レバー（１２）の主要面から突出する要素によって形成される。【選択図】  図１
2015533970.tif 000002
【特許請求の範囲】
【請求項１】
ロック機構と、モータ駆動部に接続する為の結合装置とを有するロック装置、特に、自動車用ロック装置において、前記結合装置は、連続してアレンジされた複数の係合ラグ（１４，１５）によって作動レバー（１６）を旋回できる結合レバー（１２）を備える、ロック装置であって、
そのような係合ラグ（１４，１５）が、結合レバー（１２）のベース領域から突出した要素によって形成されていることを特徴とする、ロック装置。
【請求項２】
少なくとも一つの係合ラグ（１５）がプラスチックで形成されていることを特徴とする、請求項１に記載のロック装置。
【請求項３】
前記作動レバー（１６）は、係合ラグ（１４）と、特に第１係合ラグ（１４）を有する金属製レバー状ベース部（２２）を備えることを特徴とする、請求項１〜２のいずれか一項に記載のロック装置。
【請求項４】
プラスチック構成要素（２３，２７）が前記ベース部（２２）であり、あるいは、特に、係合ラグ（１５）を設けるプラスチック部品と共に、一つ又は幾つかのラッチ要素（２８）、および／または、一つまたは幾つかのインターロック要素（２９，３１）、および／または、一つまたは複数のピン（３０）を使用するラッチング、オーバーモールディングによって、前記ベース部（２２）に接続可能であることを特徴とする、請求項１〜３のいずれか一項に記載のロック装置。
【請求項５】
前記プラスチック構成要素（２３，２７）は、上から見たとき、波状またはジグザグ形状を有することを特徴とする、請求項１〜４のいずれか一項に記載のロック装置。
【請求項６】
プラスチック構成要素（２７）は、金属製係合ラグを囲み、さらに／または、取り囲むことを特徴とする、請求項４〜５のいずれか一項に記載のロック装置。
【請求項７】
前記結合レバー（１２）は、一部が円形であり、さらに／または、側面に突出した突起（１３）を含み、前記突起（１３）は、前記作動レバーの前記係合ラグ（１４，１５）に係合可能であることを特徴とする、請求項１〜６のいずれか一項に記載のロック装置。
【請求項８】
前記結合レバー（１２）は、ハンドル用アンロックの為に設けられたピン（１８）によって、レバー（２０）のスロット孔（１９）に保持されることを特徴とする、請求項１〜７のいずれか一項に記載のロック装置。
【請求項９】
一つまたは幾つかの係合ラグは、前記結合レバー（１２）に接続され、それらが折り畳まれたエッジによって生産できるように単一部品を形成することを特徴とする、請求項１〜８のいずれか一項に記載のロック装置。
【請求項１０】
前記プラスチック構成要素が係合ラグ（１５）を提供するように作動レバーと自動的に接続する為に、一つ又は幾つかのインターロック要素（２９，３１）、および／または、一つ又は複数のピン（３０）を備えた一つまたは幾つかのラッチ要素（２８）を含む、請求項１〜９のいずれか一項に記載のロック装置。
【請求項１１】
前記係合ラグ（１５）を提供できる波状またはジグザグ形状を含む、請求項１〜１０のいずれか一項に記載のロック装置。
【発明の詳細な説明】
【技術分野】
【０００１】
本発明は、ロック機構と、モータ駆動部を接続する為の結合装置とを有するロック装置、特に、自動車用ロック装置に関する。結合駆動部は、結合レバーを備え、複数の係合ラグのために、作動レバーを旋回させることができる。係合ラグは、結合レバーによって連続して検出可能であり、この点で、一方が他方の後にアレンジされている。本発明は、さらに、ロック装置の為のプラスチック構成要素に関する。
【０００２】
既知の自動車ドア用ロックにおいて、モータ駆動部は、（中央の）ロックレバーを、その「ロック」位置または「アンロック」位置へと移動させる。
【０００３】
「アンロック」処理は、たとえば、「キーレス−エントリ」システムによって実施可能である。そのようなシステムにおいて、自動車ユーザは、識別装置（たとえば、カードまたはトランスポンダ）を持ち、それは、ユーザが車両に近づくとき、あるいは、外部ドア作動部（ドアハンドル）を作動するとき、（車両に設けられている）制御ユニットと相互作用する。この相互作用の一部として、車両に入ることを要請する車両ユーザのアクセス認証がチェックされる。ユーザが認証されると、制御ユニットは、アンロックシステムを少なくとも一つの自動車ドア用ロックに送り出す。その後、それぞれの自動車ドア用ロックは、モータ駆動部を用いてアンロックされ、たとえば、外部ドアハンドルを用いて解錠可能になる。アンロック信号も同様に、たとえば、自動車キーに含まれる無線遠隔制御を通じて生成され、送信可能である。
【０００４】
これにより生じ得ることは、自動車ユーザが既に外部ドアハンドルを作動するが、まだ相互作用が進行中、あるいは、完了せず、それぞれの自動車ドア用ロックが「アンロック」位置をとらないという基本的問題である。これは、既知の「キーレス−エントリ」システムは、アンロックを作動させる為に一定の応答時間を必要とするためである。
【０００５】
実用的な用途から、多数のミリセカンドとうい応答時間は知られており、「キーレス−エントリ」システムを持たない慣例的に設計された自動車ドア用ロックシステムと比較すると、これらは長すぎると、車両ユーザは考えている。また、車両ユーザは既に外部ドアハンドルを解錠位置に移動させたが、関連した自動車ドア用ロックは、まだ「アンロック」位置をとらなかったという状況が起こり得る。この場合、自動車ユーザは、再び、外部ドアハンドルを解除して作動しなければならないが、相当な快適制限として知覚する。
【０００６】
この問題を解決するために、DE 10 2007 048 452 A1は、ロック機構と、結合装置が接続されたモータ駆動部とを備えるロック装置を提案する。その結合装置は、第１の結合側に結合レバー、第２の反対側に結合レバーの為の複数の連続係合ラグを含む。係合ラグは、作動レバーのスロット孔に歯状外形型式に設けられる。結合レバーの折り曲げられたエッジは、このスロット孔の中に延び、ラッチとして作用する。折り曲げられたエッジは、結合レバーの主要表面から垂直に延びる。
【０００７】
このロック装置を使用することにより、たとえ、外部ドアハンドルが急に又は早く作動されたときでも、自動車ドアを解錠することが可能である。
【０００８】
本発明は、DE 10 2007 048 452 A1から知られた従来技術を更に開発すること、特に、その製造を単純化することを課題とする。
【発明の概要】
【０００９】
この課題を解決するために、ロック装置は、ロック機構と、結合装置が接続される少なくとも一つのモータ駆動部とを備え、ここで、結合装置は、第１の結合側に結合レバー、第２の反対側に結合レバーの為に複数の連続係合ラグとを含む。そのような係合ラグは、作動レバーのベース領域または主要表面から延びる少なくとも一つの要素によって、更に、垂直に延びる要素によって、形成される。
【００１０】
本発明は、係合ラグを与えるため、スロット孔の代わりに作動レバーが少なくとも一つの突出要素を含む点で、DE 10 2007 048 452 A1に開示された従来技術とは異なる。その結果、かなり広いベース領域を要するスロット孔は、もはや不要になる。比較的広いベース領域は、比較的に広い設置領域と、作動レバーが金属製の場合、かなりの量の鋼板を必要とする。しかしながら、結合レバーは、折り曲げられたエッジを必要としない。その結果、本発明は、少ない設置領域と少ない材料を必要とするので、DE 10 2007 048 452 A1に開示された従来技術より軽量である。
【００１１】
本発明の一実施形態において、作動レバーは、主に金属で形成される。一つ又は幾つかの突出要素は、鋼板の折り曲げられたエッジによって、技術的に簡単な方式で設けることができる。スロット孔を必要としないので、かなりの余分の材料は必要ない。
【００１２】
本発明の一実施形態において、作動レバーだけが、主に金属で形成される。少なくとも一つの突出要素は、プラスチックで形成される。その結果、技術的に簡単な方式で係合ラグを用いて、他のロック装置の為に使用され一般的に金属で形成される作動レバーを安定性のために逆向きに設けることが可能である。有利なことに、作動レバーの金属ベース部は、異なるロック設計の為に使用可能である点では十分である。必要であれば、これに、少なくとも一つの更なる係合ラグが備えつけられる。意外にも、プラスチックから機械的に強い十分な係合ラグを作ることも可能であるので、金属が全ての場合に使用されなくてもよいことが分かった。
【００１３】
作動レバーの金属ベース部は、好ましくは、係合ラグとして役立つ折り曲げられたエッジを含む。金属ベース部は、なにも第２の係合ラグが意図されないところで、ロックの為の作動レバーとして使用可能である。このベース部は、特に、更なる係合ラグを含まず、さらに／または、レバーとして設計される。その結果、ベース部が非常にモジュラー式であるという点で有利である。
【００１４】
少なくとも一つの更なる係合ラグを与えるプラスチック部は、オーバーモールディング、ラッチングによって、さらに／または、一つ又は幾つかの追加の保持要素によって、好ましくは、金属ベース本体に接続される。
【００１５】
少なくとも一つの追加係合ラグを与えるプラスチック部は、上から見ると、一実施例において、好ましくは、波状および／またはジグザグ状に広がっており、係合ラグに関する機械的安定性を改善する。
【００１６】
少なくとも一つの更なる係合ラグを与えるプラスチック部は、一実施形態において、金属係合ラグを封入または取り囲み、プラスチックラグの機械的安定性を改善する。
【００１７】
一実施形態において、最初に結合レバーによって捕捉される係合ラグは、金属で形成される。一つ又は幾つかの二次的な係合ラグは、プラスチックで形成される。「キーレスエントリ」システムの前述した課題は、常に生じるわけではないので、結合レバーは、第１係合ラグに、比較的に頻繁に作用する。一つ又は幾つかの二次的な係合ラグは、例外的な状況で必要とされるだけである。そのため、ロックのライフサイクルにわたって、この前記第１係合ラグは、最も頻繁に作用されるので、有利に金属で形成されている。とりわけ、重量を減らすために、あまり頻繁に作用されない一つ又は複数の二次的な係合ラグは、プラスチックで形成される。これらは、頻繁に作用されないので、不利な影響を受けることなく、プラスチックのような、あまり強くない材料から作られる。全体として、安定性が保証され、同時に、重量が最小に保たれる。
【００１８】
本発明の一実施形態において、結合レバーは、側面に突出する突起を含み、これが、ロック機構をラッチする為に、作動レバーの突出要素と係合可能である。そのため、この側面に突出する突起は、結合レバーのベース表面と同一面にアレンジされている。実施形態は、小さな設置空間だけが必要で軽量な小さな結合レバーの使用を可能にする。
【図面の簡単な説明】
【００１９】
【図１】図１は、第１位置にあるロック装置の一部を示す。
【図２】図２は、第２位置にあるロック装置の一部を示す。
【図３】図３は、オーバーモールドプラスチックを備えた作動レバーの２部構成の実施形態を示す。
【図４】図４は、図３に示された作動レバーの個々の部品を示す。
【図５】図５は、ラッチされるプラスチック部品を備えた作動レバーの２部構成の実施形態を示す。
【図６】図６は、図５に示された作動レバーの個々の部品を示す。
【図７】図７は、単一部品の作動レバーを示す。
【詳細な説明】
【００２０】
図１は、ウォームギア２により歯車３を駆動できる電気モータ１を示す。歯車３は、ギアユニットの一部であり、軸５を中心としてディスク状要素４を旋回させる為に使用される。ディスク状要素４は、２つの要素６を含み、これらの要素６は、その主要表面から突出し、レバー８のアーム７に係合し、それは、前記アームを旋回させることができる。その結果、モータ１は、その軸９を中心としてレバー８を旋回させることができる。レバー８は、要素１１を備えた更なるアーム１０を含み、これは、そこから垂直に突出している。レバー８を旋回させることによって、結合レバー１２は、突出要素１１によって旋回可能になる。
【００２１】
一部が円形の結合要素１２は、特に空間節約で軽いが、側面に突出する突起１３を含み、これは、結合レバーの位置に従い、外部および内部作動レバー１６の２つの連続した係合ラグ１４，１５と係合可能である。側面の突起１３は、２つの係合ラグ１４，１５の一つと係合する場合、ロック機構は、アンラッチすることができる。２つの係合ラグ１４，１５は、作動レバー１６から垂直に突出している。
【００２２】
結合レバー１２の軸１８は、レバー２０のスロット孔１９の中に延びている。結合レバー１２は、軸１８を中心として旋回可能である。図２に示された位置から始まる場合、結合レバー１２は、レバー８によって時計廻り方向に旋回され、側面の突起１３は、最早、係合ラグ１４または係合ラグ１５と係合しない。その後、それぞれの自動車ドアまたはフラップの外部または内部作動レバー１６、または、ハンドルの作動の作動によるロック機構のアンラッチは、最早、可能ではない。その後、それぞれの自動車ドアまたは車両フラップはロックされる。
【００２３】
もし、レバー２０が、作動レバーの作動またはそれに接続されたハンドルの作動によって、その軸２１を中心として時計廻りに旋回されるとき、結合レバー１２は、作動レバー１６とレバー２０の橋絡要素として作用する。レバー２０を用いて、ロック機構は、直接または間接に解除される。
【００２４】
図１または図２に示された実施形態において、作動レバー１６は、全体的に金属で作られている。係合ラグ１４，１５は、ブラケットによって形成され、ブラケットは、たとえば、溶着によって作動レバー１６の主要表面に接続される。好ましくは、そのようなブラケットは、単一構成要素を形成するように作動レバーに接続される。適した切断、折り曲げ、曲げによって、生産は、特に簡単である。このＵ字状ブラケットを用いて、Ｕ字形状の一つの脚は他方の脚より長く、２つの係合ラグ１４，１５は、本発明という意味において、突出要素によって与えられる。
【００２５】
図３は、作動レバー１６の２部構成の実施形態を示す。図４は、図３の作動レバーの個々の部品を示す。作動レバー１６は、第２係合ラグ１５を設けるために、第１係合ラグ１４およびオーバーモールドプラスチック部品２３を備えた金属ベース本体２２を含み、第２係合ラグ１５は、それが係合ラグ１４の後方にアレンジされるとき、少なく作用される。
【００２６】
良好な機械的安定性を確実にするため、係合ラグ１５を備えた突出要素は、上からみたとき、波状またはジグザグ形状を有する。
【００２７】
モジュラー概念を与えるために、その金属係合ラグ１４を含む金属ベース本体２２も同様に、射出成形部品を有することなく、第２係合ラグを含まないロック用作動レバーとして使用可能である。
【００２８】
確実にプラスチック部品２３を金属ベース本体２２に接続するために、ベース本体２２は、一つまたは幾つかの貫通孔２４を含み、それを通って、射出成形状体において、プラスチック部品２３のウェブ２５が延びている。代替え又は追加で、金属ベース本体２２の側面外形も同様に、確実な保持に寄与するため、プラスチックでオーバーモールドされる。
【００２９】
金属ベース本体２２は、折り曲げられたエッジを含み、それを通って、金属係合ラグ１４が設けられている。好ましくは、プラスチック部品は、一つ又は幾つかの支持ウェブ２６を含み、係合ラグ１５を機械的に安定させている。
【００３０】
図５は、２部構成作動レバー１６の更なる実施形態を示す。図６は、図５に示された作動レバー１６の個々の部品を示す。作動レバー１６は、図３および図４に既に示されたように、今度は、第１係合ラグ１４を備えた金属ベース本体２２を含む。さらに、プラスチック部品２７が設けられ、それを通して、第２の、後方係合ラグ１５が金属ベース本体に追加可能である。プラスチック部品２７は、既に、積極的に金属ベース本体２２に接続され、好ましくは、このために、一つ又は幾つかの、特に、２つの戻り止め要素２８と、好ましくは、ベース領域または主要表面から突出するインターロック要素２９とを含む。２つの弾性的に設計された戻り止め要素２８は、図５および図６の図面に示されるように、接続の為に、金属ベース本体の孔と係合可能である。インターロック２９は、金属ベース本体２２の側面外形を取り囲むことができるので、保持を改善する。
【００３１】
さらに、一実施形態は、代替え又は追加で、幾つかの突出ピン３０、好ましくは、それらの自由端で勾配形状を有する突出ピン３０を提供する。一つまたは幾つかのピン３０は、接続状態において、それらが、この金属ベース部品の孔２４の中に延びるようにアレンジされる。これが、良好な保持を与える。
【００３２】
ピン３０の勾配形状は、部品の、後の接続をサポートする。最初に、２つの戻り止め要素２８が、設けられた孔２４の中で、金属ベース本体２２の側面外形に対して隙間にインターロック要素２９が位置するように、ラッチされる。戻り止め要素２８は、その後、軸として役立ち、その軸を中心として、プラスチック部品２３は、図５に示された位置へと旋回される。ピン３０の示された勾配形状は、この旋回を容易にし、組立を簡単にする。勾配形状の傾斜は、それに応じてアレンジされる。
【００３３】
代替え又は追加で、一実施形態は、フォーク状インターロック要素３１を含み、その接続状態において、それは、金属ベース本体２２の側面外形を取り囲む。これが、良好な保持を与える。
【００３４】
好ましくは、フォーク状インターロック要素３１は、それが、ラッチングおよび後の旋回によって説明されたように接続可能になるように、アレンジされる。
【００３５】
良好な機械的安定性を確実にするため、係合ラグ１５を備えた突出要素は、上から見たとき、波状またはジグザグ形状を有する。好ましくは、係合ラグ１５の安定性をより確実にするため、突出要素は、示されたように金属係合ラグ１４を囲み、さらに／または、取り囲んでいる。
【００３６】
図７は、金属から一般的に作られる作動レバー１６の単一部品の実施形態を示す。２つの係合ラグ１４，１５は、折り曲げられたエッジであり、特に、簡単な生産を可能にする。後方で折り曲げられたエッジ１５も、最終曲げによって与えられる。
【００３７】
【符合の説明】
【００３８】
１：電気モータ
【００３９】
２：ウォームギア
【００４０】
３：歯車
【００４１】
４：旋回可能なディスク
【００４２】
５：軸
【００４３】
６：突出要素
【００４４】
７：レバーアーム
【００４５】
８：レバー
【００４６】
９：軸
【００４７】
１０：レバーアーム
【００４８】
１１：突出要素
【００４９】
１２：結合レバー
【００５０】
１３：突起
【００５１】
１４：第１係合ラグ
【００５２】
１５：第２係合ラグ
【００５３】
１６：作動レバー
【００５４】
１７：軸
【００５５】
１８：軸
【００５６】
１９：スロット孔
【００５７】
２０：レバー
【００５８】
２１：軸
【００５９】
２２：金属ベース本体
【００６０】
２３：プラスチック構成要素
【００６１】
２４：孔
【００６２】
２５：ウェブ
【００６３】
２６：支持ウェブ
【００６４】
２７：プラスチック構成要素
【００６５】
２８：ラッチ要素
【００６６】
２９：突出インターロック要素
【００６７】
３０：突出ピン
３１：フォーク状インターロック要素
【図１】
2015533970.tif 000003
【図２】
2015533970.tif 000004
【図３】
2015533970.tif 000005
【図４】
2015533970.tif 000006
【図５】
2015533970.tif 000007
【図６】
2015533970.tif 000008
【図７】
2015533970.tif 000009
【国際調査報告】
2015533970.tif 000010
2015533970.tif 000011
2015533970.tif 000012
2015533970.tif 000013